(57)【特許請求の範囲】
【請求項１】
立設された支柱間に壁パネルを上下に複数立設する横積み構造の壁パネル取付工法において、
上記支柱に係止部を設け、
下方の壁パネルを取設した後、上記壁パネルを載置可能な壁パネル載置面と上記係止部に係合可能な係合部とを備える壁パネル取付治具を上記係止部に係合させ、
上方の壁パネルを上記壁パネル載置面に仮置きし、
然る後、上方の壁パネルを下方の壁パネル上の所定の位置に移動設置する、
ことを特徴とする壁パネル取付工法。
【請求項２】
前記壁パネル取付治具の前記壁パネル載置面の高さを下方の壁パネル上端と一致させることを特徴とする請求項１記載の壁パネル取付工法。
【発明の詳細な説明】
【技術分野】
【０００１】
本発明は、壁パネル取付方法に係り、壁パネルを上下に複数架設する横積み構造の壁パネルの取付工法に関する。
【背景技術】
【０００２】
浴室等のユニットルームの壁面を構築する構造として、横長の複数の壁パネルを上下に積み重ねて接合する横積み構造と呼ばれるものがある（例えば、特許文献１参照。）。
【特許文献１】実開平５−１４４１０号公報
【発明の開示】
【発明が解決しようとする課題】
【０００３】
この構造では、上方の壁パネルを取り付けるに際しては、施工者がこの壁パネルを両手で持ち上げ、既に取り付けられた下方の壁パネル上に載置するのであるが、重量があり、かつ取り付けようとする壁面一杯の長さを有する壁パネルを持ち上げることは、施工者にとって肉体的負担が大きい。また、この体勢で、壁パネルを所定の位置まで精度よく持っていくことは容易ではない。
【０００４】
さらに、この横積み構造では、壁パネルを取り付けようとする面と直交する両側の面に、既に壁パネルが取り付けられている場合、施工者の身動きがとり難いばかりか、取り付けようとする壁パネルの端部が既設の壁パネルに当たってこれを損傷する虞もある。
【０００５】
本発明は、上述した事情を考慮してなされたもので、壁パネルを上下に複数架設する横積み構造において、施工者の負担を軽減し、壁パネルを損傷し難い壁パネル取付工法を提供することを目的とするものである。
【課題を解決するための手段】
【０００７】
本発明に係る壁パネル取付工法は、上述した課題を解決するために、請求項１に記載したように、立設された支柱間に壁パネルを上下に複数立設する横積み構造の壁パネル取付工法において、上記支柱に係止部を設け、下方の壁パネルを取設した後、上記壁パネルを載置可能な壁パネル載置面と上記係止部に係合可能な係合部とを備える壁パネル取付治具を上記係止部に係合させ、上方の壁パネルを上記壁パネル載置面に仮置きし、然る後、上方の壁パネルを下方の壁パネル上の所定の位置に移動設置するものである。
【０００８】
この壁パネル取付工法は、好適には、請求項２に記載したように、前記壁パネル取付治具の前記壁パネル載置面の高さを下方の壁パネル上端と一致させることが望ましい。
【発明の効果】
【００１１】
本発明に係る壁パネル取付工法によれば、壁パネルを上下に複数架設する横積み構造において、施工者の負担を軽減し、壁パネルの損傷を予防することができる。
【発明を実施するための最良の形態】
【００１２】
本発明に係る壁パネル取付工法の実施の形態について、添付図面を参照して説明する。図１は、本発明に係る壁パネル取付工法及び壁パネル取付治具により壁パネルが取り付けられた浴室ユニットの概要を示す斜視図である。
【００１３】
本実施形態に示された浴室ユニット１の床パン１０は、ＢＭＣやＳＭＣ等のＦＲＰで成形され、入浴者が洗髪や洗体を行う洗い場部１５と浴槽１６が載置される浴槽載置部（図示せず）とに大別される。
【００１４】
洗い場部１５の、浴槽載置部６と対向する辺以外の三方の外縁は、壁パネル５０や出入口を画成するドア枠７０（同図中破線で示す）を載置可能な壁パネル載置部１４として同一レベルに形成される。洗い場部１５の床面は、浴槽載置部１６と対向する辺の中央に設けられた排水凹部１７に排水を集水するように下り勾配が形成されている。
【００１５】
同図に示すように、洗い場部１５及び浴槽載置部の各出隅部には、コーナー支柱２０が立設され、隣接するコーナー支柱２０，２０の頂部には、支柱連結材４０が架設される。
【００１６】
浴室ユニット１の壁面は、下段壁パネル５０Ａの上に上側壁パネル５０Ｂ（以下総称する場合は、壁パネル５０と呼ぶ。）が載置され、さらにその上に壁パネル５０Ｃが載置される所謂横積み構造で構成される。なお、本実施形態では、壁面は下段壁パネル５０Ａ、中段壁パネル５０Ｂ及び上段壁パネル５０Ｃの３段で構成される場合を例にとって説明するが、これは２段或いは４段以上の段数を有するものであってもよい。
【００１７】
コーナー支柱２０は、図２に示すように、支柱本体２１と保持材２２を主要構成要素とする。支柱本体２１は、亜鉛めっき鋼板やステンレス鋼板等を折曲して断面視略Ｌ字状に成形され、床パン１０に強固に固定される。保持材２２は、同じく亜鉛めっき鋼板やステンレス鋼板等を折曲して、断面視略Ω字状に成形され、この支柱本体２１のＬ字型に内接し、壁パネル５０を保持する。
【００１８】
保持材２２は、両端部を夫々内側に折曲して壁パネル５０表面側内方へ突出した凸部２４を形成し、向い合う凸部２４，２４間に開口部ＯＰ１を設けた構成になっている。また、凸部２４の端部は折曲されて折返し部２３が形成される。
【００１９】
保持材２２は、図３に示すように、支柱本体２１の全長に亘って設けられるのではなく、下段と中段の壁パネル５０Ａ，５０Ｂ、中段と上段の壁パネル５０Ｂ，５０Ｃが接合される高さのそれぞれの近傍において切断された複数のピースからなり、その各々が支柱本体２１にビス止めされる。
【００２０】
また、保持材２２の各ピース天端近傍には、後述する壁パネル取付治具を係合させるために、支柱本体２１及び保持材２２を貫通する縦長のスリット２５が設けられる。このスリット２５は、本発明の係止部を構成する。
【００２１】
壁パネル５０の室内側の表面材５１は化粧鋼板等で、また、室外側の裏面材５２は鋼板等で形成され、両者は、両側縁部を除いてプラスターボード、石綿、グラスウール等の芯材５３に貼着され一体化される。表面材５１は、側縁部を背面方向（室外側）へ略直角に折曲げた折曲片５４と、この折曲片５４の先端を反転折曲した折返し部５５を形成する。
【００２２】
この保持材２２の開口部ＯＰ１内に隣接する壁パネル５０，５０の折曲片５４，５４同士が挿入され、両折曲片５４，５４の隙間にコーナー目地材２７が嵌挿される。
【００２３】
ドア枠７０は、図２に示すように、その壁パネル５０と当接する側の側縁部には、背面方向（室外側）へ略直角に折曲げた折曲片７４と、この折曲片７４の先端を更に室内側内方に折曲した折返し部７５が形成される。
【００２４】
ドア枠７０近傍において壁パネル５０を保持する保持材３０は、ドア枠７０をビス固定するドア枠連結材７１にビス止めされる。保持材３０は、亜鉛めっき鋼板やステンレス鋼板等を、背面３２及び側面３３，３３からなる断面視溝型に折曲し、側面３３，３３の両端部を夫々更に内側に折曲して壁パネル５０表面側内方へ突出した凸部３４を形成し、向い合う凸部３４，３４間に開口部ＯＰ２を設けた構成になっている。
【００２５】
保持材３０は、コーナー支柱２０の保持材同様、ドア枠連結材７１の全長に亘って設けられるのではなく、下段と中段の壁パネル５０Ａ，５０Ｂ、中段と上段の壁パネル５０Ｂ，５０Ｃが接合される高さのそれぞれの近傍において切断された複数のピースからなり、その各々がドア枠連結材７１にビス止めされる。また、この保持材３０の背面３２及びドア枠補強材７１にも、コーナー支柱２０に設けられたのと同じ高さに、スリットが設けられている。
【００２６】
このように形成した隣接する壁パネル５０の折曲片５４とドア枠７０の折曲片７４とを保持材３０の開口部ＯＰ内に挿入すると、折返し部５５，７５によって、保持材３０の凸部３２と折曲片５４，７４との間の隙間を略埋め、折曲片５４，７４間に生じた隙間は、目地材７６を圧入することにより閉塞され、折曲片５４、７４間に隙間を生じることなく、壁パネル５０を保持材３０に取り付けることができる。
【００２７】
上述した横方向の接合構造に続いて、壁パネル５０の縦方向の接合構造について説明する。下段の壁パネル５０Ａの表面材５１の上端面５１ａは、裏面側へ略逆Ｖ字状に折曲されて凸部５１ｂが形成された後、水平に裏面側へと延出する。ここで、凸部５１ｂの裏側、すなわち、逆Ｖ字の谷側は、後述する結合材６０の第２の係合部６０ｃが係合される下壁係止部５１ｃとして機能する。
【００２８】
他方、中段の壁パネル５０Ｂの表面材５１の下端面５１ｄは、裏面側へ、凸部５１ｂに嵌合する形状の凹部５１ｅに形成された後、水平に裏面側へと延出し、その先端はさらに折曲されて上壁係止部５１ｆが形成される。
【００２９】
下段壁パネル５０Ａの凸部５１ｂには、事前に結合材６０が、凸部５１ｂの全長に亘って取設されている。結合材６０は、壁パネル５０Ａの表面材５１の上側終端に垂直に当接する垂直部６０ａと、この垂直部６０ａの室内側側面から突出する第１係合部６０ｂ及び第２係合部６０ｃと、垂直部６０ａの上端が室内側へ折曲形成された第３係合部６０ｄ、並びに第１係合部６０ｂの先端に取設された弾性部６０ｅより成る。
【００３０】
第１係合部６０ｂは凸部５１ｂに係合するように形成され、第２係合部は第２係合部５１ｃに係合する形状に形成される。結合材６０は、第１及び第２係合部５１ｂ，５１ｃが協働して凸部５１ｂを挟持することより、下段壁パネル５０Ａに取設される。これにより、結合部６０は下段壁パネル５０Ａに強固に固定され、例えば、地震等による上下動が起こっても下段壁パネル５０Ａから外れることはない。
【００３１】
これら垂直部６０ａ、第１係合部６０ｂ、第２係合部６０ｃ及び第３係合部６０ｄが硬質合成樹脂等を押出成形して形成されるのに対し、第１係合材６０ｂの先端に接着され、凸部５１ｂの略頂点に位置する弾性材６０ｅは、軟質合成樹脂から略Ｖ字形に屈曲成形される。
【００３２】
結合材６０が取設された下段壁パネル５０Ａが所定の位置に立設されると、上段壁パネル５０Ｂを下段壁パネル５０Ａの上から、凹部５１を形成する壁部のうち上壁係止部５１ｆを含む側が結合材６０の垂直部６０ａと第１係合部６０ｂとの間に形成される空間内に嵌合させるように降ろしていく。
【００３３】
そして、上壁係止部５１ｆがこの空間内に完全に嵌合すると、上側係止部５１が第３係合部６０ｄがその上端に係合されて取付が完了する。このとき、弾性部６０ｅが、凸部５１ｂ及び凹部５１ｅとに凹圧され屈曲して、上端面５１ａと下端面５１ｄとの間の隙間は水密に封止される。なお、中段の壁パネル５０Ｂと上段の壁パネル５０Ｃとの取り合いも同様である。
【００３４】
次に、本発明に係る壁パネル取付工法で用いられる壁パネル取付治具について説明する。壁パネル取付治具には、壁パネル５０が直交するコーナー支柱２０周りで用いられるコーナー用取付治具８０と、壁パネル５０とドア枠７０とが接続される平支柱周りで用いられる平部用取付治具９０とがある。
【００３５】
コーナー用取付治具８０は、図５〜７に示すように、略直角二等辺三角柱状に形成され、コーナー支柱２０に係合したときにコーナー支柱２０に向かって左側に位置する左部８１Ｌと、同じく右側に位置する右部８１Ｒとが、その長辺（直角二等辺三角柱の斜辺）同士が当接するように、ボルト８５によってねじ固定される。これにより、その上面が、略正方形の平らな面となり、壁パネル５０を載置可能な壁パネル載置面８２として形成される。また、左部８１Ｌ及び右部８１Ｒの短辺（直角二等辺三角柱の直角を挟む辺）のそれぞれ一方は、壁パネル５０に当接する当接面８９を形成する。
【００３６】
左部８１Ｌ及び右部８１Ｒの対向する長辺（直角二等辺三角柱の斜辺）の、コーナー支柱２０に対向する側には、下方に向かう楔８５ａを有する係入片８５が挟装される。この係入片８５は、ボルト８６を緩めた状態で、左部８１Ｌ及び右部８１Ｒに対する出入りや高さを任意に調整でき、所望の位置が決まればここでボルトを締めてその状態で固定することができる。これにより、コーナー支柱２０の大きさやスリット２５の高さが異なる複数のタイプの壁構造に対応することが可能となる。
【００３７】
左部８１Ｌ及び右部８１Ｒの当接面８９と異なる側面には、ガイドライン８４が設けられる。このガイドライン８４を目安に上述した係入片８５の高さを調節しておけば、壁パネル５０やコーナー用取付治具８０の存在によりスリット２５が見難くても、ガイドライン８４を例えば壁パネル５０上端に合わせることにより、容易に係入片８５をスリット２５に係入することができる。
【００３８】
左部８１Ｌ及び右部８１Ｒの対向する長辺の、係入片８５が設けられる端部と反対側の端部には、壁パネル載置面８２から突起８３が立設され、壁パネル載置面８２に載置された壁パネル５０が滑落することを防止する。
【００３９】
平部用取付治具９０は、図８〜１０に示すように、略直方体状の本体９１背面（壁パネル５０に当接する面）に、下方に向かう楔９４ａを有する係入片９４が突設され、本体９０上端面が前面（壁パネル５０に当接する面と反対側の面）に延出して壁パネル載置面９２を形成して成る。壁パネル載置面９２の前端には、壁パネル５０が滑落することを防止するために立ち上がり部９３が立設され、また、壁パネル載置面９２の、本体９１より前方へ延出する部分は、ブラケット９５により補強される。係入片９４が設けられる背面は、壁パネル５０に当接する当接面を構成する。
【００４０】
本実施の形態に係るコーナー用取付治具８０及び平部用取付治具９０は上記のように構成されており、以下これを用いた壁パネル取付工法について、コーナー用取付治具８０の場合を例にとって説明する。
【００４１】
まず、保持材２２の開口部ＯＰ１内に、隣接する壁パネル５０Ａ，５０Ｄの折曲片５４，５４同士を挿入して、下段の壁パネル５０Ａ，５０Ｂをコーナー支柱２０に取設する。この段階では、コーナー目地材２６はまだ取り付けられないので、壁パネル５０Ａ，５０Ｄは手でおさえる等していなければ倒れる状態にある。
【００４２】
次に、コーナー用取付治具８０の係入片８５の出入り・高さを調整して位置を決めて固定し、楔８５ａをコーナー支柱２０のスリット２５に係入する。
【００４３】
これにより、図７に示したように、コーナー用取付治具８０の右部８１Ｒの一側面及び左部８１Ｌの一側面がそれぞれ壁パネル５０Ａ，５０Ｄに当接し、手でおさえなくても倒れない仮固定の状態となる。また、図１１に示すように、壁パネル載置面８２は、壁パネル５０Ａ，５０Ｄの頂部と略同じ高さに位置する。
【００４４】
そして、中段の壁パネル５０Ｂを持ち上げて、この壁パネル載置面８２上に載置する。ここで壁パネル５０Ｂの下端を突起８３に当てて、上端をコーナー支柱２０に凭せかければ、施工者が手を離しても、壁パネル５０Ｂが落下することはないので、施工者は次の作業に向けて体勢を立て直すことができる。また、小休止することもできるので、施工者の肉体的負担が軽減する。
【００４５】
続いて、壁パネル５０Ｂを壁パネル載置面８２上をコーナー支柱２０側へ滑らせて、壁パネル５０Ｂが壁載置面８２から外れると、壁パネル５０Ｄの凹部５１ｅが壁パネル５０Ａの凸部５１ｂに係合し、所定の位置に納まる。
【００４６】
このように、壁パネル５０Ｂを持ち上げることなく、水平に移動させるだけで壁パネル５０Ｂを所定の位置までもっていけるので、施工者の肉体的負担が軽減する。
【００４７】
平部用取付治具９０を用いる場合も、同様の手順で壁パネルを取り付けることができる。
【００４８】
次に、壁パネル取付治具の変形例について、図１２及び図１３を参照して説明する。この変形例に係るコーナー用取付治具８０Ａは、図１２に示すように、左部８１Ｌの、壁パネル５０に当接する側面が壁パネル載置面８２を越えて上方へ延出した鍔部８７が形成される点で、本実施形態におけるものと基本的に相違し、他の構成は本実施形態と実質的に同じであり、同じ符号を付して説明を省略する。
【００４９】
このコーナー用取付治具８０Ａは、コーナーにおける一方の中段の壁パネル、例えば５０Ｅが既に取り付けられた後に、残った中段の壁パネル５０Ｂを取り付ける場合に用いられる。
【００５０】
コーナー用取付治具８０Ａの楔８５ａをスリット２５に係入させて、コーナー用取付治具８０Ａを所定の位置に取り付ければ、鍔部８７背面が中段の壁パネル５０Ｅ表面に当接し、壁パネル５０Ｅの表面を保護することになる。したがって、壁パネル５０Ｂ取付時に左右にぶれても、この鍔部８７が障害となって壁パネル５０Ｅに当たらず、これを傷付けることが予防される。
【００５１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００５２】
【図１】本発明に係る壁パネル取付工法により壁パネルが取付られた浴室ユニットの概要を示す斜視図。
【図２】本実施形態に係る壁パネル及び支柱の部分横断面図。
【図３】コーナー支柱の部分斜視図。
【図４】下段壁パネルと上段壁パネルとの接合部を示す図。
【図５】本実施形態に係るコーナー用取付治具の斜視図。
【図６】本実施形態に係るコーナー用取付治具が取り付けられた状態における斜視図。
【図７】本実施形態に係るコーナー用取付治具が取り付けられた状態における平面図。
【図８】本実施形態に係る平部用取付治具の斜視図。
【図９】本実施形態に係る平部用取付治具が取り付けられた状態における斜視図。
【図１０】本実施形態に係る平部用取付治具が取り付けられた状態における平面図。
【図１１】壁パネルの取付作業を説明する図。
【図１２】コーナー壁施工治具の変形例を示す図。
【図１３】同変形例を用いた取付作業を説明する図。
【符号の説明】
【００５３】
１  浴室ユニット
１０  床パン
１４  壁パネル載置部
１５  洗い場部
１６  浴槽
１７  排水凹部
２０  コーナー支柱
２１  支柱本体
２２  保持材
２３，３５，５５，７５  折返し部
２４，３４  凸部
２５  スリット
２７  コーナー目地材
３０  保持材
４０  支柱連結材
５０  壁パネル
５０Ａ  下段壁パネル
５０Ｂ  中段側壁パネル
５０Ｃ  上段壁パネル
５１  表面材
５１ａ  上端面
５１ｂ  凸部
５１ｃ  下壁係止部
５１ｄ  下端面
５１ｅ  凹部
５１ｆ  上壁係止部
５２  裏面材
５３  芯材
５４，７４  折曲片
６０  結合材
６０ａ  垂直部
６０ｂ  第１係合部
６０ｃ  第２係合部
６０ｄ  第３係合部
６０ｅ  弾性部
７０  ドア枠
７１  ドア枠連結材
７６  目地材
８０，８０Ａ  コーナー用取付治具
８１Ｌ  左部
８１Ｒ  右部
８２，９２  壁パネル載置面
８３  突起
８４  ガイドライン
８５，９４  係入片
８５ａ，９４ａ  楔
８６  ボルト
８７  鍔部
８９，９９  当接面
９０  平部用取付治具
９１  本体
９３  立ち上がり部
ＯＰ１，０Ｐ２  開口
【図１】
0004807126.tif 000002
【図２】
0004807126.tif 000003
【図３】
0004807126.tif 000004
【図４】
0004807126.tif 000005
【図５】
0004807126.tif 000006
【図６】
0004807126.tif 000007
【図７】
0004807126.tif 000008
【図８】
0004807126.tif 000009
【図９】
0004807126.tif 000010
【図１０】
0004807126.tif 000011
【図１１】
0004807126.tif 000012
【図１２】
0004807126.tif 000013
【図１３】
0004807126.tif 000014